(57)【特許請求の範囲】
【請求項１】
対象に定着可能な電子機器に用いられている対象取り返し情報供給方法であって、
前記電子機器により前記対象に対する所定の紛失イベントの発生が検出されたとき、前記電子機器自身の所在する位置の周辺機器の機器関連情報を検出するステップと、
検出された周辺機器の機器関連情報を対象取り返し情報として所定の第１の機器へ送信するステップと、を含み、
前記所定の紛失イベントの発生が検出されたとき、所在する位置の周辺機器の機器関連情報を検出するステップは、
フラッシュ指令が受信されたとき、所在する位置の周辺機器の機器関連情報を検出するステップを含み、
前記所在する位置の周辺機器の機器関連情報が検出された後で、
検出された周辺機器の機器関連情報と自分が盗難状態である旨の情報とをフラッシュ予約情報としてサーバへ送信するステップと、
フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出するステップと、を含み、
前記検出された周辺機器の機器関連情報を対象取り返し情報として所定の第１の機器へ送信するステップは、
フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信するステップを含む
ことを特徴とする対象取り返し情報供給方法。
【請求項２】
前記所定の紛失イベントの発生が検出されたとき、所在する位置の周辺機器の機器関連情報を検出するステップは、
自分の位置が第１の所定位置範囲からはみ出したと検出されたとき、所在する位置の周辺機器の機器関連情報を検出するステップ、または、
自分と所定の第２の機器との距離が第１の所定距離閾値を超えたと検出されたとき、所在する位置の周辺機器の機器関連情報を検出するステップ、または、
ユーザから入力されたスクリーンアンロック情報が所定のスクリーンアンロック基準情報に合致しないと検出されたとき、所在する位置の周辺機器の機器関連情報を検出するステップ、または、
シャットダウン指令が受信されたとき、所在する位置の周辺機器の機器関連情報を検出するステップを含むことを特徴とする請求項１に記載の対象取り返し情報供給方法。
【請求項３】
前記所在する位置の周辺機器の機器関連情報を検出するステップは、
所定の検出周期に応じて、所在する位置の周辺機器の機器関連情報を検出し続けるステップを含むことを特徴とする請求項１に記載の対象取り返し情報供給方法。
【請求項４】
前記検出された周辺機器の機器関連情報を対象取り返し情報として所定の第１の機器へ送信するステップは、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信することを特徴とする請求項３に記載の対象取り返し情報供給方法。
【請求項５】
前記検出された周辺機器の機器関連情報を対象取り返し情報として所定の第１の機器へ送信するステップは、
所定の報告トリガイベントの発生が検出されたとき、検出された周辺機器の機器関連情報を対象取り返し情報として所定の第１の機器へ送信するステップを含むことを特徴とする請求項１に記載の対象取り返し情報供給方法。
【請求項６】
前記所定の報告トリガイベントの発生が検出されたとき、検出された周辺機器の機器関連情報を対象取り返し情報として所定の目標機器へ送信するステップは、
自分の位置が第２の所定位置範囲からはみ出したと検出されたとき、検出された周辺機器の機器関連情報を対象取り返し情報として所定の第１の機器へ送信するステップ、または、
自分と所定の第２の機器との距離が第２の所定距離閾値を超えたと検出されたとき、検出された周辺機器の機器関連情報を対象取り返し情報として所定の第１の機器へ送信するステップ、または、
第１の機器関連情報が所定の時間内で検出され続けたとき、前記第１の機器関連情報を対象取り返し情報として所定の第１の機器へ送信するステップを含むことを特徴とする請求項５に記載の対象取り返し情報供給方法。
【請求項７】
前記検出された周辺機器の機器関連情報を対象取り返し情報として所定の第１の機器へ送信するステップは、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信するステップを含むことを特徴とする請求項１に記載の対象取り返し情報供給方法。
【請求項８】
前記周辺機器の機器関連情報は、
周辺機器によって確立された無線ＬＡＮのネットワーク識別子、周辺機器のＭＡＣアドレス、周辺機器のブルートゥース識別子、および、周辺機器のインスタントメッセンジャーアプリケーションの登録アカウントのうちの１つまたは複数を含むことを特徴とする請求項１に記載の対象取り返し情報供給方法。
【請求項９】
対象に定着可能な電子機器に用いられている対象取り返し情報供給装置であって、
前記電子機器により前記対象に対する所定の紛失イベントの発生が検出されたとき、前記電子機器自身の所在する位置の周辺機器の機器関連情報を検出するための検出モジュールと、
検出された周辺機器の機器関連情報を対象取り返し情報として所定の第１の機器へ送信するための送信モジュールと、を備え、
前記検出モジュールは、フラッシュ指令が受信されたとき、所在する位置の周辺機器の機器関連情報を検出し、
前記送信モジュールは、所在する位置の周辺機器の機器関連情報が検出された後で、検出された周辺機器の機器関連情報と自分が盗難状態である旨の情報とをフラッシュ予約情報としてサーバへ送信し、
前記検出モジュールは、フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出し、
前記送信モジュールは、フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信する
ことを特徴とする対象取り返し情報供給装置。
【請求項１０】
前記検出モジュールは、
自分の位置が第１の所定位置範囲からはみ出したと検出されたとき、所在する位置の周辺機器の機器関連情報を検出し、または、
自分と所定の第２の機器との距離が第１の所定距離閾値を超えたと検出されたとき、所在する位置の周辺機器の機器関連情報を検出し、または、
ユーザから入力されたスクリーンアンロック情報が所定のスクリーンアンロック基準情報に合致しないと検出されたとき、所在する位置の周辺機器の機器関連情報を検出し、または、
シャットダウン指令が受信されたとき、所在する位置の周辺機器の機器関連情報を検出することを特徴とする請求項９に記載の対象取り返し情報供給装置。
【請求項１１】
前記検出モジュールは、
所定の検出周期に応じて、所在する位置の周辺機器の機器関連情報を検出し続けることを特徴とする請求項９に記載の対象取り返し情報供給装置。
【請求項１２】
前記送信モジュールは、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信することを特徴とする請求項１１に記載の対象取り返し情報供給装置。
【請求項１３】
前記送信モジュールは、
所定の報告トリガイベントの発生が検出されたとき、検出された周辺機器の機器関連情報を対象取り返し情報として所定の第１の機器へ送信することを特徴とする請求項９に記載の対象取り返し情報供給装置。
【請求項１４】
前記送信モジュールは、
自分の位置が第２の所定位置範囲からはみ出したと検出されたとき、検出された周辺機器の機器関連情報を対象取り返し情報として所定の第１の機器へ送信し、または、
自分と所定の第２の機器との距離が第２の所定距離閾値を超えたと検出されたとき、検出された周辺機器の機器関連情報を対象取り返し情報として所定の第１の機器へ送信し、または、
第１の機器関連情報が所定の時間内で検出され続けたとき、前記第１の機器関連情報を対象取り返し情報として所定の第１の機器へ送信することを特徴とする請求項１３に記載の対象取り返し情報供給装置。
【請求項１５】
前記送信モジュールは、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信することを特徴とする請求項９に記載の対象取り返し情報供給装置。
【請求項１６】
前記周辺機器の機器関連情報は、
周辺機器によって確立された無線ＬＡＮのネットワーク識別子、周辺機器のＭＡＣアドレス、周辺機器のブルートゥース識別子、および、周辺機器のインスタントメッセンジャーアプリケーションの登録アカウントのうちの１つまたは複数を含むことを特徴とする請求項９に記載の対象取り返し情報供給装置。
【請求項１７】
対象に定着可能な電子機器に用いられている対象取り返し情報供給装置であって、
プロセッサと、
プロセッサの実行可能な指令を記憶するためのメモリと、を備え、
前記プロセッサは、
前記電子機器により前記対象に対する所定の紛失イベントの発生が検出されたとき、前記電子機器自身の所在する位置の周辺機器の機器関連情報を検出し、
検出された周辺機器の機器関連情報を対象取り返し情報として所定の第１の機器へ送信するように構成され、
前記所定の紛失イベントの発生が検出されたとき、所在する位置の周辺機器の機器関連情報を検出することは、
フラッシュ指令が受信されたとき、所在する位置の周辺機器の機器関連情報を検出することを含み、
前記所在する位置の周辺機器の機器関連情報が検出された後で、
検出された周辺機器の機器関連情報と自分が盗難状態である旨の情報とをフラッシュ予約情報としてサーバへ送信することと、
フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出することと、を含み、
前記検出された周辺機器の機器関連情報を対象取り返し情報として所定の第１の機器へ送信することは、
フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信することを含む
ことを特徴とする対象取り返し情報供給装置。
【請求項１８】
プロセッサに実行されることにより、請求項１から請求項８のいずれか１項に記載の対象取り返し情報供給方法を実現することを特徴とするプログラム。
【請求項１９】
請求項１８に記載のプログラムが記録された記録媒体。
【発明の詳細な説明】
【技術分野】
【０００１】
本開示は、電子技術分野に関し、特に、対象取り返し情報供給方法、装置、プログラムおよび記録媒体に関する。
【背景技術】
【０００２】
電子技術の発展につれて、様々な電子機器が出現しつつあり、それ相応に、電子機器で実現される機能も豊富になる。例えば、紛失防止機能を有する電子機器を応用すれば、失った個人用品を取り返すのに関連情報を提供することができる。紛失防止機能を有する電子機器は、紛失防止機器および携帯電話等であってもよい。
【０００３】
紛失防止機能を有する電子機器は、失った個人用品を取り返すのに関連情報（対象取り返し情報と称してもよい）を提供し、対象取り返し情報は、一般的に位置情報である。紛失防止機器を例にすると、現在、紛失防止機器が対象取り返し情報を提供する方法は、一般的に、紛失防止機器を個人用品に定着し、紛失防止機器が個人用品に対してに測位を行って位置情報をアップロードすることで、個人用品の所有者が紛失防止機器からアップロードされた位置情報に基づいて、個人用品を取り返すことができる。
【発明の概要】
【発明が解決しようとする課題】
【０００４】
本開示を実現させる過程において、発明人は、少なくとも以下の問題を発見した。
【０００５】
上記対象取り返し情報供給方法によると、個人用品が盗難されたり、紛失防止機器が壊れたりしたとき、紛失防止機器が継続して個人用品に対して測位を行って位置情報をアップロードすることができないため、壊れた後での位置情報が欠如する場合、壊れる前に供給された位置情報が、失った個人用品の取り返しにとってあまり意味がないので、対象取り返し情報を供給する有効性が少ない。
【課題を解決するための手段】
【０００６】
関連技術に存在する問題を解決するために、本開示は、対象取り返し情報供給方法、装置、プログラムおよび記録媒体を提供する。前記技術案は、下記の通りである。
【０００７】
本開示の実施例の第１の態様によれば、対象取り返し情報供給方法を提供する。前記方法は、
所定の紛失イベントの発生が検出されたとき、所在する位置の周辺機器の機器関連情報を検出するステップと、
検出された周辺機器の機器関連情報を対象取り返し情報として所定の第１の機器へ送信するステップと、を含む。
【０００８】
好ましくは、前記所定の紛失イベントの発生が検出されたとき、所在する位置の周辺機器の機器関連情報を検出するステップは、
自分の位置が第１の所定位置範囲からはみ出したと検出されたとき、所在する位置の周辺機器の機器関連情報を検出するステップ、または、
自分と所定の第２の機器との距離が第１の所定距離閾値を超えたと検出されたとき、所在する位置の周辺機器の機器関連情報を検出するステップ、または、
ユーザから入力されたスクリーンアンロック情報が所定のスクリーンアンロック基準情報に合致しないと検出されたとき、所在する位置の周辺機器の機器関連情報を検出するステップ、または、
シャットダウン指令が受信されたとき、所在する位置の周辺機器の機器関連情報を検出するステップを含む。
【０００９】
好ましくは、前記所在する位置の周辺機器の機器関連情報を検出するステップは、
所定の検出周期に応じて、所在する位置の周辺機器の機器関連情報を検出し続けるステップを含む。
【００１０】
好ましくは、前記検出された周辺機器の機器関連情報を対象取り返し情報として所定の第１の機器へ送信するステップは、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信するステップを含む。
【００１１】
好ましくは、前記検出された周辺機器の機器関連情報を対象取り返し情報として所定の第１の機器へ送信するステップは、
所定の報告トリガイベントの発生が検出されたとき、検出された周辺機器の機器関連情報を対象取り返し情報として所定の第１の機器へ送信するステップを含む。
【００１２】
好ましくは、前記所定の報告トリガイベントの発生が検出されたとき、検出された周辺機器の機器関連情報を対象取り返し情報として所定の目標機器へ送信するステップは、
自分の位置が第２の所定位置範囲からはみ出したと検出されたとき、検出された周辺機器の機器関連情報を対象取り返し情報として所定の第１の機器へ送信するステップ、または、
自分と所定の第２の機器との距離が第２の所定距離閾値を超えたと検出されたとき、検出された周辺機器の機器関連情報を対象取り返し情報として所定の第１の機器へ送信するステップ、または、
第１の機器関連情報が所定の時間内で検出され続けたとき、前記第１の機器関連情報を対象取り返し情報として所定の第１の機器へ送信するステップを含む。
【００１３】
好ましくは、前記所定の紛失イベントの発生が検出されたとき、所在する位置の周辺機器の機器関連情報を検出するステップは、
フラッシュ指令が受信されたとき、所在する位置の周辺機器の機器関連情報を検出するステップを含み、
前記所在する位置の周辺機器の機器関連情報が検出された後で、さらに、
検出された周辺機器の機器関連情報と自分が盗難状態である旨の情報とをフラッシュ予約情報としてサーバへ送信するステップと、
フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出するステップと、を含み、
前記検出された周辺機器の機器関連情報を対象取り返し情報として所定の第１の機器へ送信するステップは、
フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信するステップを含む。
【００１４】
好ましくは、前記検出された周辺機器の機器関連情報を対象取り返し情報として所定の第１の機器へ送信するステップは、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信するステップを含む。
【００１５】
好ましくは、前記周辺機器の機器関連情報は、
周辺機器によって確立された無線ＬＡＮのネットワーク識別子、周辺機器のＭＡＣアドレス、周辺機器のブルートゥース識別子、および、周辺機器のインスタントメッセンジャーアプリケーションの登録アカウントのうちの１つまたは複数を含む。
【００１６】
本開示の実施例の第２の態様によれば、対象取り返し情報供給装置を提供する。前記装置は、
所定の紛失イベントの発生が検出されたとき、所在する位置の周辺機器の機器関連情報を検出するための検出モジュールと、
検出された周辺機器の機器関連情報を対象取り返し情報として所定の第１の機器へ送信するための送信モジュールと、を備える。
【００１７】
好ましくは、前記検出モジュールは、
自分の位置が第１の所定位置範囲からはみ出したと検出されたとき、所在する位置の周辺機器の機器関連情報を検出し、または、
自分と所定の第２の機器との距離が第１の所定距離閾値を超えたと検出されたとき、所在する位置の周辺機器の機器関連情報を検出し、または、
ユーザから入力されたスクリーンアンロック情報が所定のスクリーンアンロック基準情報に合致しないと検出されたとき、所在する位置の周辺機器の機器関連情報を検出し、または、
シャットダウン指令が受信されたとき、所在する位置の周辺機器の機器関連情報を検出する。
【００１８】
好ましくは、前記検出モジュールは、
所定の検出周期に応じて、所在する位置の周辺機器の機器関連情報を検出し続ける。
【００１９】
好ましくは、前記送信モジュールは、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信する。
【００２０】
好ましくは、前記送信モジュールは、
所定の報告トリガイベントの発生が検出されたとき、検出された周辺機器の機器関連情報を対象取り返し情報として所定の第１の機器へ送信する。
【００２１】
好ましくは、前記送信モジュールは、
自分の位置が第２の所定位置範囲からはみ出したと検出されたとき、検出された周辺機器の機器関連情報を対象取り返し情報として所定の第１の機器へ送信し、または、
自分と所定の第２の機器との距離が第２の所定距離閾値を超えたと検出されたとき、検出された周辺機器の機器関連情報を対象取り返し情報として所定の第１の機器へ送信し、または、
第１の機器関連情報が所定の時間内で検出され続けたとき、前記第１の機器関連情報を対象取り返し情報として所定の第１の機器へ送信する。
【００２２】
好ましくは、前記検出モジュールは、フラッシュ指令が受信されたとき、所在する位置の周辺機器の機器関連情報を検出し、
前記送信モジュールは、さらに、所在する位置の周辺機器の機器関連情報が検出された後で、検出された周辺機器の機器関連情報と自分が盗難状態である旨の情報とをフラッシュ予約情報としてサーバへ送信し、
前記検出モジュールは、さらに、フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出し、
前記送信モジュールは、フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信する。
【００２３】
好ましくは、前記送信モジュールは、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信する。
【００２４】
好ましくは、前記周辺機器の機器関連情報は、
周辺機器によって確立された無線ＬＡＮのネットワーク識別子、周辺機器のＭＡＣアドレス、周辺機器のブルートゥース識別子、および、周辺機器のインスタントメッセンジャーアプリケーションの登録アカウントのうちの１つまたは複数を含む。
【００２５】
本開示の実施例の第３の態様によれば、対象取り返し情報供給装置を提供する。前記装置は、
プロセッサと、
プロセッサの実行可能な指令を記憶するためのメモリと、を備え、
前記プロセッサは、
所定の紛失イベントの発生が検出されたとき、所在する位置の周辺機器の機器関連情報を検出し、
検出された周辺機器の機器関連情報を対象取り返し情報として所定の第１の機器へ送信するように構成される。
本開示の実施例の第４の態様によれば、プロセッサに実行されることにより、本開示の実施例の第１の態様に記載の対象取り返し情報供給方法を実現するプログラムを提供する。
本開示の実施例の第５の態様によれば、本開示の実施例の第４の態様に記載のプログラムが記録された記録媒体を提供する。
【発明の効果】
【００２６】
本開示の実施例による技術案は、以下の格別な作用効果を含むことができる。
【００２７】
本開示の実施例では、所定の紛失イベントの発生が検出されたとき、所在する位置の周辺機器の機器関連情報を検出し、検出された周辺機器の機器関連情報を対象取り返し情報として所定の第１の機器へ送信する。このように、紛失防止機能を有する電子機器によって報告された対象取り返し情報が自身の所在する位置の情報でないため、破損されても、私たちが報告された周辺機器の機器関連情報に基づいて紛失された対象を取り返すことができ、さらに、供給された対象取り返し情報の有効性が向上する。
【００２８】
上述した一般的な記述および後続の詳細な記述は、単に例示的および解釈的なものであり、本発明を制限するものではないと理解されるべきである。
【図面の簡単な説明】
【００２９】
ここでの図面は、明細書を構成する一部として見なされ、本開示に適した実施例を示し、かつ、明細書の文字記載とともに本開示の仕組みを解釈するために用いられる。
【図１】一実施例による対象取り返し情報供給方法を示すフローチャートである。
【図２】一実施例による取得機器関連情報を示す模式図である。
【図３】一実施例による応用シーンを示す模式図である。
【図４】一実施例による応用シーンを示す模式図である。
【図５】一実施例による対象取り返し情報供給装置を示す模式図である。
【図６】一実施例による電子機器を示す構造模式図である。
【００３０】
上記図面によって、本開示の明確な実施例が示されているが、より詳細な説明は後述する。これらの図面および文字記載は、何らかの方式で本開示の思想の範囲を限定するためのものでなく、特定の実施例の参照により本開示の概念を当業者へ説明するためのものである。
【発明を実施するための形態】
【００３１】
次に、実施例を詳細に説明し、その例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００３２】
本開示の一実施例は、対象取り返し情報供給方法を提供する。図１に示すように、当該方法の処理フローは、以下のステップを含んでもよい。
【００３３】
ステップ１０１では、所定の紛失イベントの発生が検出されたとき、所在する位置の周辺機器の機器関連情報を検出する。
【００３４】
ステップ１０２では、検出された周辺機器の機器関連情報を対象取り返し情報として所定の第１の機器へ送信する。
【００３５】
本開示の実施例では、所定の紛失イベントの発生が検出されたとき、所在する位置の周辺機器の機器関連情報を検出し、検出された周辺機器の機器関連情報を対象取り返し情報として所定の第１の機器へ送信する。このように、紛失防止機能を有する電子機器によって報告された対象取り返し情報が自身の所在する位置の情報でないため、破損されても、報告された周辺機器の機器関連情報に基づいて紛失された対象を取り返すことができ、さらに、供給された対象取り返し情報の有効性が向上する。
【００３６】
本開示の別の実施例は、対象取り返し情報供給方法を提供する。当該方法は、紛失防止機能を有する電子機器（以下、ローカル機器と称する）に適用可能である。ただし、当該電子機器は、携帯電話、タブレットＰＣ等の移動端末であってもよいし、紛失防止機器であってもよい。ローカル機器にプロセッサ、メモリおよび送受信機が設けられてもよく、プロセッサが検出された下記の異常イベントを処理してもよく、メモリが下記の処理手順に必要なデータおよび生成するデータを記憶してもよく、送受信機がデータを受信や送信してもよい。
【００３７】
実施形態に合わせて、図１に示す処理フローを以下に詳細に説明する。内容は、以下の通りである。
【００３８】
ステップ１０１では、所定の紛失イベントの発生が検出されたとき、所在する位置の周辺機器の機器関連情報を検出する。
【００３９】
実施中において、ユーザが対象取り返し機能を有するアプリケーションプログラムをローカル機器にインストールし、ローカル機器を対応する対象（個人用品または子供）に定着してもよい。こうして、個人用品の紛失や子供の失踪時、ユーザが対象取り返し情報を取得できるため、ローカル機器は、当該対象に対する対象取り返し情報を供給する役割を果たすことができる。ユーザは、自分のニーズに応じて、当該ローカル機器を対応する物品や人に固定し、例えば、ローカル機器を自転車、ペットに固定し、または、子供の体に固定してもよい。
【００４０】
ローカル機器は、それに固定された対象の紛失イベントを予め設定してもよい。紛失イベントの発生が検出されたとき、当該ローカル機器の周辺機器の機器関連情報、例えば、ローカル機器の近辺に位置する、無線ネットワークと接続する機能を有する電子機器を検出してもよい。当該電子機器は、携帯電話であってもよいし、自動車チップであってもよい。
【００４１】
好ましくは、周辺機器の機器関連情報は、周辺機器によって確立された無線ＬＡＮのネットワーク識別子、周辺機器のＭＡＣ（Ｍｅｄｉａ Ａｃｃｅｓｓ Ｃｏｎｔｒｏｌ、媒体アクセス制御）アドレス、周辺機器のブルートゥース識別子、および、周辺機器のインスタントメッセンジャーアプリケーションの登録アカウント等のうちの１つまたは複数を含んでもよい。
【００４２】
実施中において、図２に示すように、ローカル機器は、無線ネットワークと接続する機能（例えば、ＷｉＦｉ（Ｗｉｒｅｌｅｓｓ Ｆｉｄｅｌｉｔｙ、無線忠実度）機能）を有し、周辺機器によって確立された無線ＬＡＮのネットワーク識別子を取得してもよい。また、周辺機器のＭＡＣアドレスを取得してもよい。ローカル機器は、ブルートゥース部品を有し、ブルートゥース部品を介して周辺機器のブルートゥース識別子を取得してもよい。当該ブルートゥース識別子は、ブルートゥース部品のＭＡＣアドレスであってもよいし、ブルートゥース接続に用いられるブルートゥース名であってもよい。ローカル機器は、それにインストールされたインスタントメッセンジャーアプリケーションにおける身の周りの友人を探す機能を利用して、周辺機器にインストールされた当該インスタントメッセンジャーアプリケーションプログラムの現在の登録アカウントを取得してもよい。
【００４３】
好ましくは、ローカル機器が周辺機器関連情報を取得するトリガイベントを予め設定してもよく、それ相応に、ステップ１０１の処理手順が以下のようになる。
【００４４】
場面一では、自分の位置が第１の所定位置範囲からはみ出したと検出されたとき、所在する位置の周辺機器の機器関連情報を検出する。
【００４５】
実施中において、ローカル機器は、自分の測位システムを利用して自分の位置情報を検出し続けることができる。ローカル機器は、ある位置範囲（第１の所定位置範囲と称してもよい）を予め設定してもよい。ローカル機器は、自分の位置が第１の所定位置範囲からはみ出したと検出したとき、周辺機器の機器関連情報を検出してもよい。例えば、図３に示すように、ローカル機器は、首輪であり、ユーザによってペットに固定されてもよい。ペットが所定の位置範囲からはみ出したとき、ローカル機器は、周辺機器の機器関連情報（無線ＬＡＮのネットワーク識別子であってもよい）を検出してもよい。
【００４６】
場面二では、自分と所定の第２の機器との距離が第１の所定距離閾値を超えたと検出されたとき、所在する位置の周辺機器の機器関連情報を検出する。
【００４７】
実施中において、ローカル機器は、自分と第２の機器（第１の機器であってもよい）の距離閾値（第１の所定距離閾値と称してもよい）を予め設定してもよい。ローカル機器は、自分と第２の機器との距離が当該第１の所定距離閾値を超えたとき、周辺機器の機器関連情報を検出してもよい。例えば、図４に示すように、ローカル機器は、子供に固定され、ローカル機器自身と親の第２の機器との距離閾値を３０メートルに予め設定してもよく、ローカル機器は、ローカル機器と親の第２の機器との距離が距離閾値３０メートルを超えたと検出したとき、自分の周辺（つまり、ペットの周り）機器の機器関連情報を検出してもよい。
【００４８】
場面三では、ユーザから入力されたスクリーンアンロック情報が所定のスクリーンアンロック基準情報に合致しないと検出されたとき、所在する位置の周辺機器の機器関連情報を検出する。
【００４９】
実施中において、ローカル機器は、さらに、スクリーンアンロック基準情報（スクリーンアンロックパスワードであってもよい）を予め設定してもよく、ユーザが当該ローカル機器を利用して且つそれに対してスクリーンアンロックを行おうとするとき、もしユーザによって入力されたスクリーンアンロック情報が所定のスクリーンアンロック基準情報に合致しない場合、ローカル機器は、自分の周辺機器の機器関連情報を検出してもよい。
【００５０】
場面四では、シャットダウン指令が受信されたとき、所在する位置の周辺機器の機器関連情報を検出する。
【００５１】
実施中において、泥棒がローカル機器を盗んだとき、ローカル機器に対してシャットアップ操作を行うことが一般的である。ローカル機器には、シャットアップ指令が検出されると自身の周辺機器の機器関連情報を検出できるようなことが予め設定されてもよい。
【００５２】
場面五では、ユーザが錠を掛けた対象にローカル機器が固定された場合、ローカル機器が当該対象の錠の状態に対してモニタするように設定してもよい。ローカル機器は、解錠されていままで対象が移動し且つ移動距離が所定距離閾値を超えたと検出したとき、自身の周辺機器の機器関連情報を検出してもよい。例えば、自転車に錠が掛けられ、泥棒が当該自転車を盗んでいる時、ローカル機器は、解錠されていないままでの自転車の移動を検出してもよい。その際、ローカル機器は、自身の周辺機器の機器関連情報を検出してもよい。
【００５３】
好ましくは、ローカル機器は、フラッシュ（ｆｌａｓｈ・ｒｏｏｔ・ｒｅｉｎｓｔａｌｌ  ｔｈｅ  ｓｙｓｔｅｍ）指令を受信したとき、所在する位置の周辺機器の機器関連情報を検出してもよい。その後、以下のような処理を行ってもよい。つまり、検出された周辺機器の機器関連情報と自分が盗難状態である旨の情報とをフラッシュ予約情報としてサーバへ送信し、フラッシュの完了後、サーバからフラッシュ予約情報を取得し、特定のフラッシュ予約情報に自分が盗難状態である旨の情報を含めてから、所在する位置の周辺機器の機器関連情報を再度検出する。
【００５４】
実施中において、ローカル機器の紛失後、泥棒または拾う者がローカル機器に対してフラッシュ操作を行うと、ローカル機器は、フラッシュ指令を受信し、その際、ローカル機器が所在する位置の周辺機器の機器関連情報を検出するようにトリガしてもよい。また、ローカル機器は、対象が盗まれたと判定し、自分の状態が盗難状態であることを記録し、予め記憶されたサーバのアドレスに基づいて、検出された周辺機器の機器関連情報と自分が盗難状態である旨の情報とをフラッシュ予約情報としてサーバへ送信する。フラッシュ操作の完了後、ローカル機器がフラッシュ完了の指令を受信し、その際、ローカル機器がフラッシュ予約情報の取得要求を生成するようにトリガし、予め記憶されたサーバのアドレスに基づいて、フラッシュ予約情報の取得要求をサーバへ送信してもよい。サーバは、ローカル機器から送信された取得要求を受信し、ローカル機器がフラッシュ指令の受信時に送信したフラッシュ予約情報をローカル機器へ送信してもよい。ローカル機器は、サーバから送信されたフラッシュ予約情報を受信して解析し、フラッシュ予約情報に含まれるローカル機器自身が盗難状態である旨の情報を取得し、自分が盗難状態であると特定した後で、所在する位置の周辺機器の機器関連情報を再度検出する。フラッシュ前後に検出された周辺機器の機器関連情報は、報告すべき機器関連情報を特定するために、後続の照合判定に用いられてもよい。
【００５５】
好ましくは、紛失イベントの発生時、ローカル機器は、周辺機器の機器関連情報を継続して検出してもよい。それ相応に、処理手順は以下のようになる。所定の検出周期に応じて、所在する位置の周辺機器の機器関連情報を検出し続ける。
【００５６】
実施中において、ローカル機器は、検出周期を予め設定し、紛失イベントの発生時、予め設定した検出周期に応じて、周辺機器の機器関連情報を検出し続けてもよい。
【００５７】
ステップ１０２では、検出された周辺機器の機器関連情報を対象取り返し情報として所定の第１の機器へ送信する。
【００５８】
ただし、第１の機器は、ある指定のサーバであってもよいし、ユーザの所持する電子機器、例えば携帯電話等の移動端末であってもよい。
【００５９】
実施中において、ローカル機器は、周辺機器の機器関連情報を検出した後で、それをそのまま対象取り返し情報として所定の第１の機器へ送信してもよい。
【００６０】
好ましくは、ローカル機器が検出された機器関連情報をサーバへ送信し、サーバが機器関連情報に基づいて他の価値ある情報を取得して第１の機器へ送信してもよく、それ相応に、サーバの処理手順も様々あり得る。幾つかの可能な処理方式が以下になる。
【００６１】
方式一では、移動路線を特定してもよく、対応する処理手順は、以下になる。検出周期に応じて検出された周辺機器の機器関連情報を、対象取り返し情報としてサーバへ送信する。こうして、サーバは、周辺機器の機器関連情報に基づいて周辺機器の位置情報を特定し、周辺機器の位置情報に基づいて対象の移動路線を特定して所定の第１の機器へ送信する。
【００６２】
実施中において、予め記憶されたサーバのアドレスに基づいて、ローカル機器が周期に応じて検出された周辺機器の機器関連情報を対象取り返し情報としてサーバへ送信した後で、サーバは、送信された周辺機器の機器関連情報（周辺機器によって確立された無線ＬＡＮのネットワーク識別子であってもよい）を受信してもよい。当該アプリケーションプログラムがインストールされたローカル機器は、取得された機器関連情報および当該機器関連情報に対応する機器の所在する位置の情報をサーバへ送信してもよく、サーバは、機器関連情報と対応する機器の位置情報との対応関係を予め記憶してもよい。サーバは、ローカル機器から送信された対象取り返し情報を受信した後で、サーバに予め記憶された上記対応関係に基づいて、ローカル機器から送信された各周辺機器の位置情報を取得し、さらに、取得された周辺機器の位置情報に基づいて、ローカル機器（つまり、対象）の移動路線を特定して、予め設定された第１の機器（第１の機器は、ユーザの所持する移動端末、例えば携帯電話等であってもよい）へ送信してもよい。
【００６３】
方式二では、移動路線におけるカメラの撮影画像を取得してもよい。対応する処理手順は、以下のようになる。検出された周辺機器の機器関連情報と検出時間情報を、対象取り返し情報としてサーバへ送信する。こうして、サーバは、周辺機器の機器関連情報に基づいて周辺機器の位置情報を特定し、位置情報および検出時間情報に基づいて対応する位置と時間でのカメラ撮影画像を取得して所定の第１の機器へ送信する。
【００６４】
実施中において、紛失イベントの発生後、ローカル機器は、周辺機器の機器関連情報を検出し続け、予め記憶されたサーバのアドレスに基づいて、検出された周辺機器の機器関連情報および対応する検出時間情報（その際、周辺機器の機器関連情報および検出時間情報を対象取り返し情報と称してもよい）をサーバへ送信してもよく、サーバは、送信された対象取り返し情報（通りかかった検出された周辺機器によって確立された無線ＬＡＮのネットワーク識別子および対応する検出時間であってもよい）を受信して解析してもよい。当該アプリケーションプログラムがインストールされたローカル機器は、取得された機器関連情報および当該機器関連情報に対応する機器の所在する位置の情報をサーバへ送信してもよく、サーバは、機器関連情報と対応する機器の位置情報との対応関係を予め記憶してもよい。サーバは、ローカル機器から送信された対象取り返し情報を受信した後で、サーバに予め記憶された上記対応関係に基づいて、ローカル機器から送信された各周辺機器の位置情報を取得し、さらに、取得された周辺機器の位置情報に基づいて、交通監視サーバ、団地監視サーバあるいはビル監視サーバから対応する位置のカメラによる撮影の画像を取得し、対象取り返し情報に含まれる検出時間情報に基づいて、当該カメラが当該時間点で撮影した、容疑者の画像情報を含む可能性のある画像を取得して、予め設定された第１の機器（第１の機器は、ユーザの所持する移動端末、例えば携帯電話等であってもよい）へ送信してもよい。例えば、ペットが盗まれた後で、ローカル機器は、移動しながら取得された無線ＬＡＮのネットワーク識別子と取得時に対応する時間点とを対象取り返し情報としてサーバへ送信してもよい。このように報告し続けると、サーバは、各無線ＬＡＮのネットワーク識別子の位置を取得可能であり、その後、位置情報および時間点に基づいて移動路線に対応するカメラの撮影画像を取得して、所定の第１の機器へ送信してもよい。
【００６５】
好ましくは、報告処理について報告トリガイベントを設定してもよい。それ相応に、ステップ１０２の処理手順は、以下のようになる。所定の報告トリガイベントの発生が検出されたとき、検出された周辺機器の機器関連情報を対象取り返し情報として所定の第１の機器へ送信する。
【００６６】
実施中において、ローカル機器は、報告トリガイベントを予め設定し、所定の報告トリガイベントの発生を検出したとき、検出された周辺機器の機器関連情報を対象取り返し情報として所定の第１の機器へ送信してもよい。
【００６７】
好ましくは、報告トリガイベントがある状況に対応して、処理手順は、以下のようになってもよい。場面一では、自分の位置が第２の所定位置範囲からはみ出したと検出されたとき、検出された周辺機器の機器関連情報を対象取り返し情報として所定の第１の機器へ送信する。場面二では、自分と所定の第２の機器との距離が第２の所定距離閾値を超えたと検出されたとき、検出された周辺機器の機器関連情報を対象取り返し情報として所定の第１の機器へ送信する。場面三では、第１の機器関連情報が所定の時間内で検出され続けたとき、前記第１の機器関連情報を対象取り返し情報として所定の第１の機器へ送信する。
【００６８】
実施中において、ローカル機器は、検出された周辺機器の機器情報（つまり、対象取り返し情報）を報告するトリガイベントを予め設定してもよい。即ち、ローカル機器は、報告トリガイベントを予め設定してもよい。
【００６９】
場面一では、ローカル機器は、自分の測位システム（例えば、全地球測位システム）を利用して自分の位置情報を検出し続けてもよい。ローカル機器は、自分の位置が所定の位置範囲（第２の所定位置範囲と称してもよい）からはみ出したと検出したとき、検出された周辺機器の機器関連情報を対象取り返し情報として所定の第１の機器へ送信してもよい。
【００７０】
場面二では、ローカル機器は、自分と第２の機器との距離閾値（第２の所定距離閾値と称してもよい）を予め設定してもよい。ローカル機器は、自分と第２の機器との距離が当該第１の所定距離閾値を超えたと検出したとき、検出された周辺機器の機器関連情報を対象取り返し情報として所定の第１の機器へ送信してもよい。例えば、ペットに固定されたローカル機器と飼い主の電子機器との距離閾値を２０メートルに予め設定し、ローカル機器は、ペットと飼い主の電子機器との距離が距離閾値２０メートルを超えたと検出したとき、検出された自分の周辺（つまり、ペットの周り）の機器の機器関連情報を報告してもよい。
【００７１】
場面三では、ローカル機器は、予め設定された時間帯で周辺機器の機器関連情報（第１の機器関連情報と称してもよい）を検出し続けたとき、第１の機器関連情報を対象取り返し情報として所定の第１の機器へ送信する。例えば、自転車が盗まれた後、泥棒の携帯電話がローカル機器とともに移動する可能性がある。その際、ローカル機器は、所定の時間内（１分間内）で泥棒の携帯電話の関連情報（携帯電話のブルートゥース識別子であってもよい）を検出し続けることができる。その後、その関連情報を対象取り返し情報として所定の第１の機器へ送信する。ローカル機器が後で破損されても、第１の機器は、取得された第１の機器関連情報に基づいて紛失の自転車を取り返すことができる。
【００７２】
好ましくは、上記ローカル機器がフラッシュされた状況について、ステップ１０２の処理手順は、以下のようになってもよい。フラッシュ前に検出された周辺機器の機器関連情報とフラッシュ後に検出された周辺機器の機器関連情報とに、同じ第２の機器関連情報が存在する場合、第２の機器関連情報を対象取り返し情報として所定の第１の機器へ送信する。
【００７３】
実施中において、ローカル機器は、周辺機器の機器関連情報を再度検出した後で、それをサーバから取得されたフラッシュ予約情報における機器関連情報と比較し、もし上記両者に同じ機器関連情報（第２の機器関連情報と称してもよい）が存在する場合、第２の機器関連情報を対象取り返し情報として所定の第１の機器へ送信してもよい。
【００７４】
本開示の実施例では、所定の紛失イベントの発生が検出されたとき、所在する位置の周辺機器の機器関連情報を検出し、検出された周辺機器の機器関連情報を対象取り返し情報として所定の第１の機器へ送信する。このように、紛失防止機能を有する電子機器によって報告された対象取り返し情報が自身の所在する位置の情報でないため、破損されても、私たちが報告された周辺機器の機器関連情報に基づいて紛失された対象を取り返すことができ、さらに、供給された対象取り返し情報の有効性が向上する。
【００７５】
本開示のさらに別の実施例は、さらに、対象取り返し情報供給装置を提供する。図５に示すように、当該装置は、検出モジュール５１０と、送信モジュール５２０とを備える。
【００７６】
検出モジュール５１０は、所定の紛失イベントの発生が検出されたとき、所在する位置の周辺機器の機器関連情報を検出する。
【００７７】
送信モジュール５２０は、検出された周辺機器の機器関連情報を対象取り返し情報として所定の第１の機器へ送信する。
【００７８】
好ましくは、前記検出モジュール５１０は、
自分の位置が第１の所定位置範囲からはみ出したと検出されたとき、所在する位置の周辺機器の機器関連情報を検出し、または、
自分と所定の第２の機器との距離が第１の所定距離閾値を超えたと検出されたとき、所在する位置の周辺機器の機器関連情報を検出し、または、
ユーザから入力されたスクリーンアンロック情報が所定のスクリーンアンロック基準情報に合致しないと検出されたとき、所在する位置の周辺機器の機器関連情報を検出し、または、
シャットダウン指令が受信されたとき、所在する位置の周辺機器の機器関連情報を検出する。
【００７９】
好ましくは、前記検出モジュール５１０は、
所定の検出周期に応じて、所在する位置の周辺機器の機器関連情報を検出し続ける。
【００８０】
好ましくは、前記送信モジュール５２０は、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信する。
【００８１】
好ましくは、前記送信モジュール５２０は、
所定の報告トリガイベントの発生が検出されたとき、検出された周辺機器の機器関連情報を対象取り返し情報として所定の第１の機器へ送信する。
【００８２】
好ましくは、前記送信モジュール５２０は、
自分の位置が第２の所定位置範囲からはみ出したと検出されたとき、検出された周辺機器の機器関連情報を対象取り返し情報として所定の第１の機器へ送信し、または、
自分と所定の第２の機器との距離が第２の所定距離閾値を超えたと検出されたとき、検出された周辺機器の機器関連情報を対象取り返し情報として所定の第１の機器へ送信し、または、
第１の機器関連情報が所定の時間内で検出され続けたとき、前記第１の機器関連情報を対象取り返し情報として所定の第１の機器へ送信する。
【００８３】
好ましくは、前記検出モジュール５１０は、フラッシュ指令が受信されたとき、所在する位置の周辺機器の機器関連情報を検出する。
【００８４】
前記送信モジュール５２０は、さらに、前記所在する位置の周辺機器の機器関連情報が検出された後で、検出された周辺機器の機器関連情報と自分が盗難状態である旨の情報とをフラッシュ予約情報としてサーバへ送信する。
【００８５】
前記検出モジュール５１０は、さらに、フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出する。
【００８６】
前記送信モジュール５２０は、フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信する。
【００８７】
好ましくは、前記送信モジュール５２０は、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信する。
【００８８】
好ましくは、前記周辺機器の機器関連情報は、周辺機器によって確立された無線ＬＡＮのネットワーク識別子、周辺機器のＭＡＣアドレス、周辺機器のブルートゥース識別子、および、周辺機器のインスタントメッセンジャーアプリケーションの登録アカウントのうちの１つまたは複数を含む。
【００８９】
上記実施例中の装置について、各モジュールが操作を実行する具体的な方式が既に当該方法に関する実施例で詳しく記述されたため、ここで詳細に説明しない。
【００９０】
本開示の実施例では、所定の紛失イベントの発生が検出されたとき、所在する位置の周辺機器の機器関連情報を検出し、検出された周辺機器の機器関連情報を対象取り返し情報として所定の第１の機器へ送信する。このように、紛失防止機能を有する電子機器によって報告された対象取り返し情報が自身の所在する位置の情報でないため、破損されても、私たちが報告された周辺機器の機器関連情報に基づいて紛失された対象を取り返すことができ、さらに、供給された対象取り返し情報の有効性が向上する。
【００９１】
説明必要なことは、上記実施例で供される対象取り返し情報の供給時、上記各機能モジュールの区分で説明してきたが、実際の応用において、必要に応じて上記機能を異なる機能モジュールに割り当てて実施させることができる。即ち、機器の内部構造を異なる機能モジュールに区分して、上記全部または一部の機能を実施させることができる。また、上記実施例で供される対象取り返し情報供給装置および対象取り返し情報供給方法の実施例が同一の思想に属し、その具体的な実現手順が方法実施例を参照すればよいため、ここで繰り返し説明しない。
【００９２】
本開示のさらに別の実施例は、電子機器の構造模式図を示す。当該電子機器は、携帯電話等であってもよい。
【００９３】
図６を参照すると、装置６００は、以下の１つ又は複数のユニット、すなわち、処理ユニット６０２、メモリ６０４、電源ユニット６０６、マルチメディアユニット６０８、オーディオユニット６１０、入力/出力（Ｉ/Ｏ）インターフェース６１２、センサユニット６１４及び通信ユニット６１６を備えてもよい。
【００９４】
処理ユニット６０２は通常、装置６００の全般操作、例えば、表示、電話発呼、データ通信、カメラ操作及び記録操作に関連する操作を制御する。処理ユニット６０２は、前記方法のステップの全部又は一部を実行するように、指令を実行する１つ又は複数のプロセッサ６２０を備えてもよい。また、処理ユニット６０２は、処理ユニット６０２と他のユニットとの間の相互作用を容易にするように、１つ又は複数のモジュールを備えてもよい。例えば、処理ユニット６０２は、マルチメディアユニット６０８と処理ユニット６０２との間の相互作用を容易にするように、マルチメディアモジュールを備えてもよい。
【００９５】
メモリ６０４は、装置６００での操作をサポートするために、各種別のデータを記憶するように構成される。これらのデータの例示は、装置６００で操作する如何なるアプリケーションプログラムまたは方法の指令、連絡人データ、電話帳データ、メッセージ、ピクチャ、映像などを含む。メモリ６０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００９６】
電源ユニット６０６は、装置６００のユニットのそれぞれに電力を供給する。電源ユニット６０６は、電源管理システム、１つまたは複数の電源、並びに、装置６００用の電力を生成、管理および配分するに関する他のユニットを含んでもよい。
【００９７】
マルチメディアユニット６０８は、前記装置６００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット６０８は、１つのフロントカメラおよび/またはバックカメラを含む。装置６００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００９８】
オーディオユニット６１０は、オーディオ信号を出力および/または入力するように構成される。例えば、オーディオユニット６１０は、マイク（ＭＩＣ）を備え、装置６００が操作モード、例えば、発呼モード、記録モードおよび音声識別モードにあるとき、マイクは、外部オーディオ信号を受信するように構成される。受信されたオーディオ信号は、さらに、メモリ６０４に記憶される、または、通信ユニット６１６を介して送信されることができる。一部の実施例では、オーディオユニット６１０は、さらに、オーディオ信号を出力するためのスピーカをさらに含む。
【００９９】
Ｉ/Ｏインターフェース６１２は、処理ユニット６０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【０１００】
センサユニット６１４は、様々な側面での状態推定を装置６００に供給するための１つまたは複数のセンサを含む。例えば、センサユニット６１４は、装置６００のオン/オフ状態、ユニットの相対位置を検出することができ、例えば、前記ユニットは、装置６００のディスプレイおよびキーパッドである。センサユニット６１４は、さらに、装置６００もしくは装置６００の１つのユニットの位置変更、ユーザと装置６００との接触の存在もしくは不存在、装置６００の方位または加速/減速および装置６００の温度変化をさらに検出することができる。センサユニット６１４は、如何なる物理的接触もないとき、近辺にある物体の存在を検出するための近接センサを含んでもよい。センサユニット６１４は、さらに、イメージングアプリケーションに使用される光センサ、例えばＣＭＯＳまたはＣＣＤ画像センサを含んでも良い。一部の実施例では、当該センサユニット６１４は、さらに、加速度センサ、ジャイロセンサ、磁気センサ、圧力センサ、または温度センサを含んでも良い。
【０１０１】
通信ユニット６１６は、装置６００と他の機器間の無線または有線方式の通信が便利になるように構成される。装置６００は、通信規格に基づく無線ネットワーク、例えば、ＷｉＦｉ、２Ｇもしくは３Ｇ、またはそれらの組合せにアクセスすることができる。ある実施例では、通信ユニット６１６は、外部ブロードキャスト管理システムからのブロードキャスト信号またはブロードキャスト関連情報をブロードキャストチャネルを介して受信する。ある実施例では、前記通信ユニット６１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１０２】
実施例では、装置６００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１０３】
実施例では、指令を含む非一時的コンピュータ読み取り可能な記憶媒体、例えば、指令を含むメモリ６０４をさらに提供し、上記指令が装置６００のプロセッサ６２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであっても良い。
【０１０４】
一時的なコンピュータ読取可能な記憶媒体を提供する。前記記憶媒体における指令が電子機器のプロセッサに実行されると、電子機器が対象取り返し情報供給方法を実行可能である。当該方法は、
所定の紛失イベントの発生が検出されたとき、所在する位置の周辺機器の機器関連情報を検出するステップと、
検出された周辺機器の機器関連情報を対象取り返し情報として所定の第１の機器へ送信するステップと、を含む。
【０１０５】
好ましくは、前記所定の紛失イベントの発生が検出されたとき、所在する位置の周辺機器の機器関連情報を検出するステップは、
自分の位置が第１の所定位置範囲からはみ出したと検出されたとき、所在する位置の周辺機器の機器関連情報を検出するステップ、または、
自分と所定の第２の機器との距離が第１の所定距離閾値を超えたと検出されたとき、所在する位置の周辺機器の機器関連情報を検出するステップ、または、
ユーザから入力されたスクリーンアンロック情報が所定のスクリーンアンロック基準情報に合致しないと検出されたとき、所在する位置の周辺機器の機器関連情報を検出するステップ、または、
シャットダウン指令が受信されたとき、所在する位置の周辺機器の機器関連情報を検出するステップを含む。
【０１０６】
好ましくは、前記所在する位置の周辺機器の機器関連情報を検出するステップは、
所定の検出周期に応じて、所在する位置の周辺機器の機器関連情報を検出し続けるステップを含む。
【０１０７】
好ましくは、前記検出された周辺機器の機器関連情報を対象取り返し情報として所定の第１の機器へ送信するステップは、
サーバが周辺機器の機器関連情報に基づいて前記周辺機器の位置情報を特定し、前記周辺機器の位置情報に基づいて対象の移動路線を特定して所定の第１の機器へ送信するように、前記検出周期に応じて検出された前記周辺機器の機器関連情報を、対象取り返し情報として前記サーバへ送信するステップを含む。
【０１０８】
好ましくは、前記検出された周辺機器の機器関連情報を対象取り返し情報として所定の第１の機器へ送信するステップは、
所定の報告トリガイベントの発生が検出されたとき、検出された周辺機器の機器関連情報を対象取り返し情報として所定の第１の機器へ送信するステップを含む。
【０１０９】
好ましくは、前記所定の報告トリガイベントの発生が検出されたとき、検出された周辺機器の機器関連情報を対象取り返し情報として所定の目標機器へ送信するステップは、
自分の位置が第２の所定位置範囲からはみ出したと検出されたとき、検出された周辺機器の機器関連情報を対象取り返し情報として所定の第１の機器へ送信するステップ、または、
自分と所定の第２の機器との距離が第２の所定距離閾値を超えたと検出されたとき、検出された周辺機器の機器関連情報を対象取り返し情報として所定の第１の機器へ送信するステップ、または、
第１の機器関連情報が所定の時間内で検出され続けたとき、前記第１の機器関連情報を対象取り返し情報として所定の第１の機器へ送信するステップを含む。
【０１１０】
好ましくは、前記所定の紛失イベントの発生が検出されたとき、所在する位置の周辺機器の機器関連情報を検出するステップは、
フラッシュ指令が受信されたとき、所在する位置の周辺機器の機器関連情報を検出するステップを含む。
【０１１１】
前記所在する位置の周辺機器の機器関連情報が検出された後で、
検出された周辺機器の機器関連情報と自分が盗難状態である旨の情報とをフラッシュ予約情報としてサーバへ送信するステップと、
フラッシュの完了後、前記フラッシュ予約情報をサーバから取得し、前記フラッシュ予約情報に自分が盗難状態である旨の情報が含まれると特定した後で、所在する位置の周辺機器の機器関連情報を再度検出するステップと、をさらに含む。
【０１１２】
前記検出された周辺機器の機器関連情報を対象取り返し情報として所定の第１の機器へ送信するステップは、
フラッシュ前に検出された周辺機器の機器関連情報とフラッシュ後に検出された周辺機器の機器関連情報とに、同じ第２の機器関連情報が存在する場合、前記第２の機器関連情報を対象取り返し情報として所定の第１の機器へ送信するステップを含む。
【０１１３】
好ましくは、前記検出された周辺機器の機器関連情報を対象取り返し情報として所定の第１の機器へ送信するステップは、
サーバが周辺機器の機器関連情報に基づいて前記周辺機器の位置情報を特定し、前記位置情報および検出時間情報に基づいて、対応する位置および時間でのカメラによる撮影画像を取得して所定の第１の機器へ送信するように、検出された前記周辺機器の機器関連情報および前記検出時間情報を対象取り返し情報として前記サーバへ送信するステップを含む。
【０１１４】
好ましくは、前記周辺機器の機器関連情報は、周辺機器によって確立された無線ＬＡＮのネットワーク識別子、周辺機器のＭＡＣアドレス、周辺機器のブルートゥース識別子、および周辺機器のインスタントメッセンジャーアプリケーションの登録アカウントのうちの１つまたは複数を含む。
【０１１５】
本開示の実施例では、所定の紛失イベントの発生が検出されたとき、所在する位置の周辺機器の機器関連情報を検出し、検出された周辺機器の機器関連情報を対象取り返し情報として所定の第１の機器へ送信する。このように、紛失防止機能を有する電子機器によって報告された対象取り返し情報が自身の所在する位置の情報でないため、破損されても、私たちが報告された周辺機器の機器関連情報に基づいて紛失された対象を取り返すことができ、さらに、供給された対象取り返し情報の有効性が向上する。
【０１１６】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１１７】
本開示は、以上に記載され、且つ図面に示された正確な構造に限定されるものでなく、その要旨を逸脱しない範囲で様々な修正や変更も可能であることを理解すべきである。本開示の範囲は、添付する特許請求の範囲のみによって限定される。
【０１１８】
本発明は、出願番号が２０１５１０３７８７５６.４であり、出願日が２０１５年７月１日である中国特許出願を基に提出するものであり、当該中国特許出願の優先権を主張し、当該中国特許出願の全ての内容は、参照のため本願に援用される。
【図１】
0006371007.tif 000002
【図２】
0006371007.tif 000003
【図３】
0006371007.tif 000004
【図４】
0006371007.tif 000005
【図５】
0006371007.tif 000006
【図６】
0006371007.tif 000007